(57)【要約】【課題】軸受内部に圧損差があっても転動体各列に確実に均等して潤滑油を給油可能にすること。【解決手段】本密封式転がり軸受１は、内輪２に嵌合した軸側から軸受内に潤滑油の給排油を行うものであって、内輪２の軸方向一方側と他方側それぞれに給油路２０と排油路２１を設けたことで、内輪２の軸方向一方側から潤滑油の給油を行い、同他方側からその排油を行う構成。【選択図】図１
2005351372.tif 000002
【特許請求の範囲】
【請求項１】
内輪に嵌合した軸側から軸受に対して潤滑油の給排油を行う外輪回転型の密封式転がり軸受であって、軸方向一方側から軸受内へ潤滑油を給油し、同他方側から軸受外へ排油する、ことを特徴とする外輪回転型の密封式転がり軸受。
【発明の詳細な説明】
【技術分野】
【０００１】
本発明は、外輪回転型の密封式転がり軸受に係り、より詳しくは、非回転側の内輪と該内輪に嵌合した軸とに形成した給油路と排油路とを介して、軸受内部に対して給排油を行う外輪回転型の密封式転がり軸受に関する。
【背景技術】
【０００２】
鉄鋼用多段圧延機では、鋼板を挟む上下一対のワークロールと、これらワークロールを鋼板側に押圧する上下に複数の中間ロールと、これら中間ロールに外接する上下に複数のバックアップロールとを備える。バックアップロールには、通常、軸受内輪に嵌合した軸側から軸受内に潤滑油の給排油を行う外輪回転型の密封式転がり軸受が使用される。このような外輪回転型の密封式転がり軸受には、内・外輪間に転動体として円筒ころを軸方向２列に配置し、各円筒ころを保持器で保持するとともに、軸受両端の開口をシール部材で塞いだ構成とした複列円筒ころ軸受がある。この密封式転がり軸受では、例えば、非回転軸である軸を内輪に嵌合する一方、円筒状のバックアップロールを外輪に装着し、該バックアップロールを回転自在に支承している。そして、内輪を半径方向に貫通する給油路と排油路とが設けられて、軸側からこれら給油路と排油路とを介して軸受内に給排油を行うようになっている。この場合、従来の密封式転がり軸受においては、給油路を円筒ころと円筒ころとの間に設けて配置し、この配置位置から給油を行うとともに、排油路を内輪の軸方向両側の鍔部に設けて配置し、この配置位置から排油を行うものがある（特許文献１参照）。しかしながら、このような密封式転がり軸受では、軸受内部の圧損差によっては均等に円筒ころ各列に潤滑油が給油されないおそれがある。
【特許文献１】特開２００３−３４３５８６号公報
【発明の開示】
【発明が解決しようとする課題】
【０００３】
したがって、本発明により解決すべき課題は、外輪回転型の密封式転がり軸受において、軸受内部に圧損差があっても転動体各列に確実に均等して潤滑油を給油可能にすることである。
【課題を解決するための手段】
【０００４】
本発明による外輪回転型の密封式転がり軸受は、内輪に嵌合した軸側から軸受に対して潤滑油の給排油を行う外輪回転型の密封式転がり軸受であって、軸方向一方側から軸受内へ潤滑油を給油し、同他方側から軸受外へ排油することを特徴とするものである。
【０００５】
本発明によると、軸方向一方側から軸受内に潤滑油を給油し、同他方側から軸受外に排油する構成を有するから、軸受内部の圧損差にかかわらず、転動体として例えば円筒ころ各列に確実に均等して給油を行うことができる。そして、本発明では、複列円筒ころ軸受に適用してその内輪の軸方向長が長くなり、円筒ころの列数も２列にとどまらず、それ以上の列数に配置するなどして、軸受内部の圧損差の不均等が拡大する可能性が高くなる場合、従来のごとく、円筒ころ各列の間から軸受内部に潤滑油を給油して軸方向両側から排油する場合と比較して、円筒ころ各列へより確実にかつより均等に潤滑油を給油することができるようになり、その効果が特に顕著に現れるものとなる。例えば、本発明の密封式転がり軸受を複列円筒ころ軸受として、多段圧延機のバックアップロール用として用いる場合において、そのバックアップロールに軸方向長が長いものが要求され、これに伴い、バックアップロールを支持する軸受の設計上、円筒ころの列数が増大してくる場合では、当該バックアップロールの支持用の軸受としてその性能や耐久性の向上ひいては寿命の向上に大きく貢献できるようになる。
【発明の効果】
【０００６】
本発明によれば、軸受内部に圧損差があっても、円筒ころ各列に確実に均等して給油を行うことができる。
【発明を実施するための最良の形態】
【０００７】
以下、添付図面を参照して、本発明の実施形態に係る外輪回転型の密封式転がり軸受を説明すると、図１は、同密封式転がり軸受を側面から見たその全体の断面図を示し、図２は、図１の２つの保持器を部分的にかつ平面展開で示す図、図３は、図１の給油側でのつば輪と内輪の対向する両端面が見える状態でかつ内輪についてはその軸方向一方側の一部だけで示す斜視図、図４は、図１の排油側でのつば輪と内輪の対向する両端面が見える状態でかつ内輪についてはその軸方向他方側の一部だけで示す斜視図である。
【０００８】
これらの図を参照して、この実施形態の密封式転がり軸受１は、単一の内輪２と、該内輪２の軸方向両側端面に配置する、当該内輪２とは別体である２つのつば輪３ａ，３ｂと、単一の外輪４と、軸方向３列の転動体である、各列複数の円筒ころ５ａ，５ｂ，５ｃと、これら円筒ころ５ａ，５ｂ，５ｃの円周方向の間隔を保持する２つの保持器６ａ，６ｂと、軸受の軸方向両端を塞ぐ２つのシール部材（オイルシール）７ａ，７ｂとを備える。内輪２は、円筒スリーブ８を介して、非回転の軸９に圧入もしくはすきまばめされて非回転とされている。内輪２の軸方向両側端面に配置する２つのつば輪３ａ，３ｂは、それぞれ、円筒スリーブ８により内輪２の軸方向両側に締め付けられて当該内輪２と一体回転可能に当接保持されている。このような保持のため、円筒スリーブ８は、軸方向一端側に径方向外向きの環状つば部８ａを一体に備える円筒スリーブ材８ｂと、軸方向他端側のつば状スリーブ材８ｃとからなり、締結部材８ｄでつば状スリーブ材８ｃを円筒スリーブ材８ｂに締結することでつば輪３ａ，３ｂを内輪２に回転一体に固定する。保持器６ａは、環状体６ａ１と、環状体６ａ１の軸方向両側にそれぞれ円周方向等間隔に設けた複数の柱部６ａ２，６ａ３とを備え、環状体６ａ１の軸方向一方側の各柱部６ａ２間に円筒ころ５ａを保持し、軸方向他方側の各柱部６ａ３間に円筒ころ５ｂを保持している。これら柱部６ａ２，６ａ３は互いに対して円周方向千鳥状となっていて、円筒ころ５ａ，５ｂは、保持器６ａに対して円周方向千鳥状に保持される。もう１つの保持器６ｂは、環状体６ｂ１の軸方向他方側に円周方向等間隔に複数の柱部６ｂ２を備え、各柱部６ｂ２間に円筒ころ５ｃを保持している。
【０００９】
以上の構成を備えた密封式転がり軸受１においては、鉄鋼用多段圧延機のバックアップロールに軸方向長が長いものが要求され、そのバックアップロール支持用としての軸受の設計上、円筒ころの列数が増大してくる場合において、その生産性を考慮して内輪２側を当該内輪２とつば輪３ａ，３ｂとの３つの部品で構成し、これに応じて、内輪２をつば輪３ａ，３ｂと共に、円筒スリーブ８を介して非回転の軸９に嵌合する一方で、外輪４でバックアップロールを回転自在に支承して、上記多段圧延機で使用する外輪回転型の複列円筒ころ軸受を構成している。
【００１０】
そして、本実施形態では、このように内輪２に嵌合した軸９側との間にて当該軸受内に対する潤滑油の給油および排油を行うに関して、内輪２の軸方向一方側から潤滑油を給油するとともに、同他方側にて排油を行うことにより、軸受内部の圧損差にかかわらず、円筒ころ５ａ，５ｂ，５ｃそれぞれに確実に均等して給油を行うことができるようにしている。以下に、その一つの具体例を説明するが、本発明は、この具体例に限定されない。
【００１１】
すなわち、内輪２の軸方向一方側の端面に対して好ましくは円周方向等間隔で、複数の、例えば、３箇所に径方向に貫通する潤滑油導入溝２ａを設けるとともに、この潤滑油導入溝２ａの入口側開口に連通するように、つば輪３ａの軸方向他方側の端面の内径縁に円周方向に沿って連続する潤滑油案内溝３ａ１と内輪２の軸方向一方側端面の内径縁に円周方向に沿って連続する潤滑油案内溝２ｂとを設けている。これら潤滑油導入溝２ａと、潤滑油案内溝３ａ１，２ｂとにより潤滑油を軸受内部に内輪２の軸方向一方側から給油する給油路２０を構成している。
【００１２】
一方、内輪２の軸方向他方側の端面に対して好ましくは円周方向等間隔で、複数の、例えば、３箇所に径方向に貫通する潤滑油導出溝２ｃを設けるとともに、この潤滑油導出溝２ｃの入口側開口に連通するように、つば輪３ｂの軸方向一方側の端面の内径縁に円周方向に沿って連続する潤滑油案内溝３ｂ１と内輪２の軸方向一方側端面の内径縁に円周方向に沿って連続する潤滑油案内溝２ｄとを設けている。これら潤滑油導出溝２ｃと潤滑油案内溝３ｂ１，２ｄとにより潤滑油を内輪２の軸方向他方側から当該軸受外部に排油する排油路２１を構成している。
【００１３】
なお、円筒スリーブ８および軸９の軸方向一方側と他方側にもそれぞれ、上記給油路２０に連通する給油路と、排油路２１に連通する排油路とが設けられているが、図示を省略している。なお、上記実施形態では内輪２は単一であるが、当該内輪２を軸方向に分割して軸方向複列である場合とか、つば輪３ａ，３ｂは内輪２と別体であるが、内輪２と一体である場合も本発明に含む。内輪２とつば輪３ａ，３ｂが一体の場合では、円筒スリーブ８を省略することができる。上記実施形態では円筒ころ５ａ，５ｂ，５ｃが複列であるが、単列である場合も、本発明に含む。また、上記実施形態では潤滑油案内溝３ａ１，２ｂ，３ｂ１，２ｄを設けているが、必ずしも必須ではなく、省略することも可能であり、潤滑油導入溝２ａだけで給油路、潤滑油導出溝２ｃだけで排油路を構成することもでき、このような場合も本発明に含む。
【００１４】
以上の構成を備えた密封式転がり軸受１においては、当該軸受１の軸方向一方側に設けた給油路２０から軸受内部に潤滑油を給油し、同他方側に設けた排油路２１から潤滑油の排油を行うことにより、軸受内部には、その軸方向一方側から潤滑油の給油を行うとともに、同他方側からその排油を行うことが可能となり、これにより、軸受内部の圧損差にかかわらず、円筒ころ５ａ，５ｂ，５ｃそれぞれに確実に均等して給油を行うことができる。
【図面の簡単な説明】
【００１５】
【図１】本発明の実施形態に係る外輪回転型の密封式転がり軸受を側面から見たその全体の断面図
【図２】図１の２つの保持器を部分的にかつ平面展開で示す図
【図３】図１の給油側でのつば輪と内輪の対向する両端面が見える状態でかつ内輪についてはその軸方向一方側の一部だけで示す斜視図
【図４】図１の排油側でのつば輪と内輪の対向する両端面が見える状態でかつ内輪についてはその軸方向他方側の一部だけで示す斜視図
【符号の説明】
【００１６】
１  密封式転がり軸受
２  内輪
３ａ，３ｂ  つば輪
４  外輪
５ａ，５ｂ，５ｃ  円筒ころ
６ａ，６ｂ  保持器
７ａ，７ｂ  シール部材
８  円筒スリーブ
９  軸
２０  給油路
２１  排油路
【図１】
2005351372.tif 000003
【図２】
2005351372.tif 000004
【図３】
2005351372.tif 000005
【図４】
2005351372.tif 000006